(57)【要約】HSDPAにおけるマルチキャリア動作を使うタイプ3i受信機用のテスト方法とテスト装置が開示される。この方法は、連続して各キャリア（30a，30b）を同時にテストする。複数のスイッチ（33a-33f）とチャネルエミュレータ（32a-32f）を用い、効率的な接続を適用して、被試験ユーザ装置を変更せずにパフォーマンステストを実行できる。一つのキャリアがテストで合格すると、次のキャリアが選択されテストされる。こうして、全キャリアが処理されるまで、単一キャリアスループット要件に対して全キャリアが連続してテストされる。【選択図】図３
2014508435.tif 000002
【特許請求の範囲】
【請求項１】
少なくとも二つのキャリアを用いて送信機と受信機との間の接続を確立することと；
少なくとも一つの隣接セルからの干渉信号を導入することと；
減衰チャネルエミュレータの少なくとも一組を用いて、前記少なくとも二つのキャリアのうちの一つを測定用に選択することと；
減衰後の前記選択キャリアにおける受信信号特性の少なくとも一つを測定することと；
前記少なくとも二つのキャリアのうちの未選択キャリアの一つを測定用に切換えることと；
前記確立した接続の前記少なくとも二つのキャリアの全てが測定されるまで、前記導入，測定および切り替えステップを継続することと；
を含む、テスト方法。
【請求項２】
前記少なくとも二つのキャリア間を順次または任意で切換えることを含む、請求項１に記載のテスト方法。
【請求項３】
前記測定ステップの前にホワイトノイズを付加することにより、無線チャネルにノイズをエミュレートすることを含む、請求項１または２に記載のテスト方法。
【請求項４】
前記選択キャリアが別の周波数帯にある場合、減衰チャネルエミュレータの別の組に切換えることを含む、請求項１から３の何れかに記載のテスト方法。
【請求項５】
前記特性は、第３世代パートナーシッププロジェクト（３ＧＰＰ）仕様書のタイプ３ｉ受信機の要件と比較するデータスループットである、請求項１から４の何れかに記載のテスト方法。
【請求項６】
前記選択キャリアに対して要件が適合する場合、テスト合格の標示を出力すること、または、前記選択キャリアに対して要件が適合しない場合、テスト不合格の標示を出力すること、を含む、請求項５に記載のテスト方法。
【請求項７】
全ての構成キャリアに対してテスト合格標示が出力される場合、全体テスト結果が合格であると決定すること、または、
何れかの構成キャリアに対してテスト不合格標示が出力される場合、全体テスト結果が不合格であると決定すること、
を含む、請求項６に記載のテスト方法。
【請求項８】
伝送パケットのキャリアデータを特定するために、ハイブリッド自動再送要求（ＨＡＲＱ）と対応する応答（ＡＣＫ／ＮＡＣＫ）メッセージを調べることを含む、請求項１から７の何れかに記載のテスト方法。
【請求項９】
前記測定前に、前記選択キャリアに対する二つの隣接セルからの干渉信号を導入することを含む、請求項１から８の何れかに記載のテスト方法。
【請求項１０】
前記確立した接続は、マルチセル・マルチバンド高速ダウンリンクパケットアクセス接続である、請求項１から９の何れかに記載のテスト方法。
【請求項１１】
少なくとも二つのキャリアを用いて接続を確立するように構成される、送信機および受信機と；
少なくとも一つの隣接セルからの干渉信号を導入するように構成される、少なくとも一つの干渉信号ソースと；
少なくとも一組の減衰チャネルエミュレータと；
一組のスイッチであって、一つの選択したキャリアに対し、減衰後の前記選択キャリアにおける受信信号特性の少なくとも一つを測定するために、前記少なくとも一組の減衰チャネルエミュレータを前記選択キャリアに同時に接続させ、前記確立した接続の前記少なくとも二つのキャリアの全てが測定されるまで、切換えて継続する、前記一組のスイッチと；
を備える、テスト装置。
【請求項１２】
一つの測定段階において、前記選択キャリアの伝送信号の接続する六つの減衰チャネルエミュレータが使用される、請求項１１に記載のテスト装置。
【請求項１３】
一つの測定段階において、未選択キャリアに関連する伝送信号が減衰せずに前記受信機に直接入力されるように構成される、請求項１１または１２に記載のテスト装置。
【請求項１４】
無線チャネルにノイズをエミュレートする、少なくとも一つの加法性ホワイトガウスノイズモジュールを備える、請求項１１から１３の何れかに記載のテスト装置。
【請求項１５】
一つの希望信号に対して二つの減衰チャネルエミュレータが使用され、第１隣接セルからの第１干渉信号ソースに対して更に二つの減衰チャネルエミュレータが使用され、第２隣接セルからの第２干渉信号ソースに対して更に二つの減衰チャネルエミュレータが使用される、請求項１１から１４の何れかに記載のテスト装置。
【請求項１６】
全測定段階において、前記受信機の第１アンテナ分岐の減衰チャネルは、前記受信機の第２アンテナ分岐の減衰チャネルとは独立である、請求項１１から１５の何れかに記載のテスト装置。
【請求項１７】
接続確立段階，切換え段階および測定段階を制御する制御ユニットを備える、請求項１１から１６の何れかに記載のテスト装置。
【請求項１８】
既存のテストデバイスに使用される、外部または内蔵ハードウェアモジュールの少なくとも一つに実装される、請求項１１から１７の何れかに記載のテスト装置。
【請求項１９】
命令を備えるコンピュータプログラムであって、前記命令は、データプロセッシングシステムで実行されると：
少なくとも二つのキャリアを用いて送信機と受信機との間の接続を確立することと；
少なくとも一つの隣接セルからの干渉信号を導入することと；
減衰チャネルエミュレータの少なくとも一組を用いて、前記少なくとも二つのキャリアのうちの一つを測定用に選択することと；
減衰後の前記選択したキャリアにおける受信信号特性の少なくとも一つを測定することと；
前記少なくとも二つのキャリアのうちの未選択キャリアの一つを測定用に切り換えることと；
前記確立した接続の前記少なくとも二つのキャリアの全てが測定されるまで、前記導入，測定および切り替えステップを継続することと；
を実行するように構成される、コンピュータプログラム。
【請求項２０】
コンピュータ可読媒体に格納される、請求項１９に記載のコンピュータプログラム。
【発明の詳細な説明】
【技術分野】
【０００１】
本発明は、キャリアテストの方法，装置，コンピュータプログラムに関し、特に、無線通信キャリアに関する。本発明は、その実施形態において、移動通信ネットワークに関し、特に、3GPPマルチキャリア高速ダウンリンクパケットアクセスユーザ装置等を用いる移動通信ネットワークのパフォーマンステストに関する。
【背景】
【０００２】
携帯無線通信ネットワークの進化は、異なる世代で表現されてきた。第1世代（1G）は、AMPS（Advanced Mobile Phone System）やNMT（Nordic Mobile Telephone）等のアナログシステムの携帯電話ネットワークを含み、1980年代初めに導入された。第2世代（2G）は、GSM（Global System for Mobile Communications）標準等のデジタル携帯電話を導入し、1990年代初めに導入された。GSMは欧州電気通信標準化機構（ETSI）によって標準化された。GSMは時分割多元接続（TDMA）ベースの無線インタフェースを適用する。GSMは現在も移動通信で最も広く使われている標準規格である。
【０００３】
2Gネットワークの後、第3世代パートナーシッププロジェクト（3GPP）が第3世代移動通信システムで世界的に採用可能なシステム標準を形成してきた。こうしたシステムの例として、エア・インタフェースに広帯域符号分割多元接続（WCDMA）を適用するUniversal Mobile Telecommunications System（UMTS）がある。WCDMAの本来のチップレートは3.84Mcpsと規定されていて、公称キャリア間隔は5MHzである。3GPPリリース5では、高速ダウンリンクパケットアクセス（HSDPA）の概念が導入されてきた。高速ダウンリンクパケットアクセスには、高速データ転送速度と高いデータ転送容量を可能とする拡張された通信プロトコルがある。HSDPAでは、パケット交換データのデータレートは4Mbpsまでサポートされる。HSPA+（「Evolved High-Speed Packet Access」）は後続の無線ブロードバンド標準であって、リリース7で規定された。HSPA+は64QAM等の高次変調方式や、MIMO（「multiple-input multiple-output」）等、送信機と受信機の両方に複数のアンテナを採用するマルチアンテナ技術を用いて、データレートをさらに増加させている。
【０００４】
リリース8では、ロングターム・エボリューション（3GPP LTE）の概念が導入された。LTEでは、初期WCDMAベースの無線アクセス技術の代替として、直交周波数分割多重方式（OFDM）が採用されている。またリリース8では、単体のユーザ装置（UE）が二つの隣接するキャリアで受信できるようにするデュアルセルHSDPA（DC-HSDPA）が導入されている。デュアルセルHSDPAはプライマリおよびセカンダリキャリアに基づく。プライマリキャリアは、全ダウンリンク物理チャネルを、アップリンクデータ伝送をサポートするチャネルと共に提供し、例えば、高速物理ダウンリンク共有チャネル（HS-PDSCH）と高速共有制御チャネル（HS-SCCH）の第1の組を備える。セカンダリキャリアは、HS-PDSCHとHS-SCCHの第2の組の伝送を担う。リリース8により、64QAMでデュアルセル機能を用いて42Mbps程度のデータレートが可能となる。
【０００５】
リリース9では、MIMO機能とデュアルセルHSDPAを組み合わせ、上り方向にもデュアルセル方式を拡大した。またさらに、使用キャリアが下り伝送の二つの別の帯域にあって、デュアルバンドHSDPA（DB-HSDPA）動作を提供してもよい。帯域は離れていて、例えば、リリース9の第1帯域構成では925-960MHzと2110-2170MHzの下り帯域を使用するように規定されている。この側面により、受信機がこれら二つの帯域を同時に受信できるように、UEのRF部の構成において大きな効果がある。
【０００６】
リリース9はさらに、LETアドバンストと呼ばれる標準規格にまで発展し、リリース10によって提供された。これは、第4世代のシステム要件を全て満たしている。LTEアーキテクチャはE-UTRANと略される次世代UMTS無線アクセスネットワークを備える。リリース10では、HSDPAで下り方向に3または4キャリアの使用を規定している。これは、UEが、それぞれ5MHzの帯域を持つ四つの隣接キャリアで受信できることを意味する。これにより、より高速のデータレートを実現でき、MIMOを使うことで、最大168Mbpsのデータレートを達成できる。
【０００７】
3GPPは、HSDPAを採用するUEに対して、リリースとは独立した別のパフォーマンス要件も規定している。干渉を考慮した受信機は、「i」を付けて表わされる。例えば、タイプ3はダイバーシティイコライザであり、タイプ3iは干渉考慮型のダイバーシティイコライザを表わす。タイプ3i受信機はサービングセルにおけるユーザからの干渉だけでなく、他の（通常、隣接する）セルからの顕著な干渉も考慮する。
【０００８】
例えば、3GPP TR 25.963（V9.0.0）仕様書では、UTRA FDDユーザ装置における干渉除去の実現可能性について検討されている。それは、様々な種類の受信機を用いる一般的なシミュレーション構成と、HSDPAトラフィックの干渉モデルと複数の別のパラメータを含み、タイプ3i受信機もカバーしている。
【０００９】
また、デュアルセルHSDPAを使用するタイプ3i受信機のテスト構成も議論されてきた。イコライザで受信機のプロパティを受信することは、異なる無線チャンネル状態によって影響を受けるため、テストセットアップを用いてテストする必要がある。こうしたセットアップの一つは次の文献に示されている：R5-104591 "DC-HSDPA Type 3i test cases: proposal for simplification", 3 GPP TSG RAN WG R5 Meeting #48, 23-27 August 2010；第3頁。またその概略を図1にも示す。テストセットアップは二つの希望Txソース1および2（10aおよび10b）を備える。ソース1はキャリア周波数f1を有し、ソース2はf1に隣接するキャリア周波数f2を有する。ここで、各キャリアの帯域幅は5MHzである。ダイバーシティアンテナが使用され、テスト下のUE17における二つのアンテナポート（Rxと記載）で示される。アンテナダイバーシティを用いたテスト手順では、ソース信号はシミュレーション無線チャネル13に入力される必要があるが、これらのチャネルは互いに無相関に減衰する必要がある。タイプ3i受信機の要件には、一つのキャリアに対して三つのセルの使用が含まれる。これは、両ソースにある一つの希望信号と二つの干渉信号によって、図1にも示されている。Tx信号はそれぞれ、スプリッタ11を経由して、他の無線チャネルと無相関である無線チャネルを提供するアテニュエータとフェーダ（12，13）の組に入力する。ホワイトノイズもモデル化され、シミュレーションに加えられなくてはならない。これは、対応するアテニュエータ12を通って入力する加法性ホワイトガウスノイズ（AWGN）ブロック14で実行される。別の希望信号および干渉信号の分岐は、図1の配線に従って、カプラ（または「HYB」）15と方向性カプラ16を経由して結合される。UE17のダイバーシティアンテナ分岐は、結合Rx信号を受信し、その後検査される。UEがデータを伝送する別の信号の向き（アップリンク）は、方向性カプラ16から図の最下部にあるアテニュエータ12，第2信号ソース10bのRxポートの順で表わされている。
【００１０】
このテストシナリオを作るためには、タイプ3i受信機のDC-HSDPA要件に対するRx特性をテストするために、12のフェーダブロック（＝チャネルエミュレータ）と15のアテニュエータブロックを必要とする。
【００１１】
前述の文献R5-104591は、六つの減衰チャネルエミュレータを使用する改善方法を記述している（同文献の第4頁を参照）。これは、同種のTx信号の各々（例えば、第1周波数の第1干渉信号と第2周波数の第2干渉信号と）を結合し、これらの信号を二つの別のフェーダ（帯域幅は10MHz）に入力し、その後、カプラとノイズ加算（AWGN）と結合して二つのRxアンテナポートへ送られる。この解決方法は従来方法よりも簡素である。この方法の問題点は、文献にも記述されているが、当初の5MHzで設計された減衰プロファイルが10MHz帯域幅に拡張されていることである。したがって、時間ドメインにおいて不要な周期性が発生する。こうして、5MHz帯域幅チャネルのモデルに対する拡張が必要とされる。また、10MHz帯域幅のフェーダにより、R5-104591に従うテストセットアップは、前述のようにキャリアが隣接周波数に設定されないようにするデュアルバンド・デュアルセルHSDPAシステム（DB-DC-HSDPA）には適さない。
【００１２】
リリース10と、二つまでの別の帯域における四つの隣接ダウンリンクキャリア、すなわち「4C-HSDPA」を考慮すると、24ブロックのチャネルエミュレータが8ブロックのAWGNと共に必要となる。結局、サービスにおける先進的なIP相互接続を提供する最新の3GPPリリース11を考慮すると、八つまでのダウンリンクキャリアを利用する「8C-HSDPA」が導入される。このシナリオは、タイプ3i受信機のパフォーマンステストに用いる48の減衰チャネルエミュレータを必要とする。
【００１３】
前述の問題により、先行技術においては、3GPPの最新リリースでより洗練された要件によって強調されている、テスト装置の複雑化という避け難い問題がある。これにより、テスト装置のコストも増え、先行技術の方法をさらに高価で持続できないものにしてしまう。したがって、パフォーマンステスト用環境を簡素化する必要がある。
【摘要】
【００１４】
本発明の第1の側面によれば、次のテスト方法が提供される：少なくとも二つのキャリアを用いて送信機と受信機との間の接続を確立することと；少なくとも一つの隣接セルからの干渉信号を導入することと；減衰チャネルエミュレータの少なくとも一組を用いて、少なくとも二つのキャリアのうちの一つを測定用に選択することと；減衰後の選択キャリアにおける受信信号特性の少なくとも一つを測定することと；少なくとも二つのキャリアのうちの未選択キャリアの一つを測定用に切換えることと；確立した接続の少なくとも二つのキャリアの全てが測定されるまで、導入，測定および切り替えステップを継続することと；を含む、テスト方法。
【００１５】
ある実施形態では、テスト方法は、少なくとも二つのキャリア間を順次または任意で切換えることを含む。
【００１６】
ある実施形態では、テスト方法は、測定ステップの前にホワイトノイズを付加することにより、無線チャネルにノイズをエミュレートすることを含む。
【００１７】
ある実施形態では、選択したキャリアが別の周波数帯にある場合、減衰チャネルエミュレータの別の組に切換えることを含む。
【００１８】
ある実施形態では、前記特性は、第3世代パートナーシッププロジェクト（3GPP）仕様書のタイプ3i受信機の要件と比較するデータスループットである。
【００１９】
ある実施形態では、テスト方法は、選択キャリアに対して要件が適合する場合、テスト合格の標示を出力すること、または、選択キャリアに対して要件が適合しない場合、テスト不合格の標示を出力すること、を含む。
【００２０】
ある実施形態では、テスト方法は、全ての構成キャリアに対してテスト合格標示が出力される場合、全体テスト結果が合格であると決定すること、または、何れかの構成キャリアに対してテスト不合格標示が出力される場合、全体テスト結果が不合格であると決定すること、を含む。
【００２１】
ある実施形態では、テスト方法は、伝送パケットのキャリアデータを特定するために、ハイブリッド自動再送要求（HARQ）と対応する応答（ACK/NACK）メッセージを調べることを含む。
【００２２】
ある実施形態では、テスト方法は、測定前に選択キャリアに対する二つの隣接セルからの干渉信号を導入することを含む。
【００２３】
ある実施形態では、確立した接続はマルチセル・マルチバンド高速ダウンリンクパケットアクセス接続である。
【００２４】
本発明の第2の側面によれば、次のテスト装置が提供される：少なくとも二つのキャリアを用いて接続を確立するように構成される、送信機および受信機と；少なくとも一つの隣接セルからの干渉信号を導入するように構成される、少なくとも一つの干渉信号ソースと；少なくとも一組の減衰チャネルエミュレータと；一組のスイッチであって、一つの選択したキャリアに対し、減衰後の選択キャリアにおける受信信号特性の少なくとも一つを測定するために、少なくとも一組の減衰チャネルエミュレータを選択キャリアに同時に接続させ、確立した接続の少なくとも二つのキャリアの全てが測定されるまで、切換えて継続する、一組のスイッチと；を備える、テスト装置。
【００２５】
ある実施形態では、一つの測定段階において、選択キャリアの伝送信号の接続する六つの減衰チャネルエミュレータが使用される。
【００２６】
ある実施形態では、一つの測定段階において、未選択キャリアに関連する伝送信号が減衰せずに受信機に直接入力されるように構成される。
【００２７】
ある実施形態では、テスト装置は、無線チャネルにノイズをエミュレートする、少なくとも一つの加法性ホワイトガウスノイズモジュールを備える。
【００２８】
ある実施形態では、一つの希望信号に対して二つの減衰チャネルエミュレータが使用され、第1隣接セルからの第1干渉信号ソースに対して更に二つの減衰チャネルエミュレータが使用され、第2隣接セルからの第2干渉信号ソースに対して更に二つの減衰チャネルエミュレータが使用される。
【００２９】
ある実施形態では、全測定段階において、受信機の第1アンテナ分岐の減衰チャネルは、受信機の第2アンテナ分岐の減衰チャネルとは独立である。
【００３０】
ある実施形態では、テスト装置は、接続確立段階，切換え段階および測定段階を制御する制御ユニットを備える。
【００３１】
ある実施形態では、テスト装置は、既存のテストデバイスに使用される、外部または内蔵ハードウェアモジュールの少なくとも一つに実装される。
【００３２】
本発明の第3の側面によれば、次のコンピュータプログラムが提供される：命令を備えるコンピュータプログラムであって、命令は、データプロセッシングシステムで実行されると：少なくとも二つのキャリアを用いて送信機と受信機との間の接続を確立することと；少なくとも一つの隣接セルからの干渉信号を導入することと；減衰チャネルエミュレータの少なくとも一組を用いて、少なくとも二つのキャリアのうちの一つを測定用に選択することと；減衰後の選択したキャリアにおける受信信号特性の少なくとも一つを測定することと；少なくとも二つのキャリアのうちの未選択キャリアの一つを測定用に切り換えることと；確立した接続の少なくとも二つのキャリアの全てが測定されるまで、導入，測定および切り替えステップを継続することと；を実行するように構成される、コンピュータプログラム。
【００３３】
ある実施形態では、コンピュータプログラムはコンピュータ可読媒体に格納される。
【００３４】
本発明のさらなる実施形態の一つ以上を形成するために、前述で開示した実施形態および側面の一つ以上を組み合わせることも可能である。
【００３５】
さらに、本発明の特徴と有利な点も、添付の図面を参照しながら、ほんの一例として示される本発明の好適な実施形態に関する以降の記述のよって明らかにされる。
【図面の簡単な説明】
【００３６】
添付の図面は、本発明をよりよく理解するために含められ、本明細書の一部を成すものである。図面は本発明の実施形態を示し、本明細書と共に本発明の原理を説明する助けとなる。図面に示される実施例は、本発明の可能な実施形態のみを示すものではない。本発明はこれら提示される実施形態に限定されるものではないことに留意されたい。
【図１】先行技術において、デュアルセルHSDPAのタイプ3i受信機のパフォーマンステストに関する接続の概略を示すブロック図である。
【図２】本発明に従うテスト手順の例示的実施形態を概略的に示している。
【図３】本発明のある実施形態に従うパフォーマンステストデバイスの実施例に関する接続の概略を示すブロック図である。
【詳細な説明】
【００３７】
以下、本発明の実施形態を添付の図面に示される実施例と共に詳述する。
【００３８】
本発明の例示的実施形態は、マルチキャリア構成の3GPPユーザ装置のためのパフォーマンステストを取り扱う。
【００３９】
マルチキャリアで動作するUEの復調テストの全てに関する現行の要件を考慮すると、それらはシングルキャリアのスループット要件のスケーリングに基づいている。換言すれば、シングルキャリアのスループット要件がR kbpsである場合、対応するデュアルキャリア動作のスループット要件は2R kbpsとなる。この原理は、シングルとデュアルの両方のキャリア構成に対して同一のテスト技術を使用可能にする。しかし、図1のようなテストモジュールを構築することで、より多くのキャリアに対して構成が非常に複雑で高価なものとなる。これは、タイプ3i受信機を有効にする際には特に問題となる。
【００４０】
さらに、HSDPAベースのデータ伝送の基本特性を考慮すると、ハイブリッド自動再送要求（HARQ）は前方誤り訂正（FEC）と誤り検出の組み合わせである。データストリームには、適切な誤り訂正方法を用いて冗長ビットが付加される。こうして、無線チャネル品質に起因する誤りを訂正することができる。しかし、チャネル品質が悪い場合、通常この方法で全ての誤りが訂正されるわけではなく、破損パケットを再送する必要がある。直前の破損パケットは受信機に格納されている可能性があり、誤りのないパケットを生成するために再送パケットと共に利用することができる。したがって、HARQメッセージは特定のキャリアに関して基地局からUEへ送信するメッセージであり、再送受信に成功する（または、失敗すると）と、UEは対応する肯定応答ACK（または否定応答NACK）メッセージを生成する。
【００４１】
本発明では、マルチキャリア伝送において、UEがHARQ再送への応答としてACKメッセージを送信するように、HARQメッセージを使用する。これにより、テストシステムはHARQメッセージがどのダウンリンクキャリアに対応するかを決定できる。これに基づいて、使用するキャリアの数（2，4，8等）に関わらず、テストシステムは、特定キャリアの伝送に関して送信されたACKまたはNACKメッセージの量を調べることによって、1キャリア当たりスループットを測定することができる。
【００４２】
続いて、本発明に従うテスト手順の実施形態を示す図2を参照する。ここでは概して、HSDPAプロトコルを使用するタイプ3i受信機に、デュアルキャリアまたはマルチキャリア（例えば、4または8キャリア）を使用することを検討する。マルチキャリア要件が満たされる限りにおいて、本発明では上り方向や、他のプロトコルや技術が使用されてもよい。手順の最初のステップ20で、N個のアクティブキャリアの全てで接続が確立される。こうして、利用可能なキャリアの全てが接続してアクティブになっている。また、隣接セル（ある実施形態では二つの隣接セル）からの干渉信号が最初に各キャリアに対して加わっている。ある実施形態では、信号は全て5MHz帯域幅に規定されている。本発明の実施形態であるデュアルセル実施形態の最も簡潔な実装では、周波数f1およびf2に5MHz帯域幅の二つの希望信号ソースがパフォーマンス評価のTx信号ソースとして配置される。3以上のキャリアでも、原理は同じであり、テスト手順用にTx信号ソースを追加すればよい。Nは「2」以上の任意の整数でよい。
【００４３】
次のステップ21で、パフォーマンス評価のために、第1のキャリア「m」を最初に選択する。キャリアは全キャリアから無作為に選択されてよい。
【００４４】
このステップの後、テストデバイスは、キャリア「m」の信号のみをフェーダ（チャネルエミュレータ）を介してユーザ装置に接続するために、全てのフェーダをキャリア「m」に切換える（ステップ22）。換言すれば、キャリア「m」の希望信号および干渉信号を、チャネルエミュレータ（後述）を介して伝搬し、AWGNの形式でテスト環境にノイズも導入する。この段階における他のキャリアの信号はチャネルエミュレータを介さずにUEに直接接続されている。
【００４５】
次のステップ23で、テストデバイスは、キャリア「m」のデータ伝送に対応するACK／NACKメッセージのみを収集し、シングルキャリア要件に対するパフォーマンスを評価する。この段階では、他のキャリアは無視される。これは、他のキャリアに関するACK／NACKをキャリア「m」のパフォーマンス評価には考慮しないことを意味する。ある実施形態では、テストデバイスは、パフォーマンス評価においてスループットや別の所望する特性を測定してもよい。この段階において、測定したスループットをその要件に照らしてチェックするために、シングルキャリアに関するタイプ3i要件がテストデバイスにロードされている。HARQ再送に対するACKまたはNACKメッセージ量を調べることにより、テストデバイスは、達成スループットが正確に測定されているかを確認し、このときに対象としているシングルキャリア「m」経由で送信したパケットのみを含む。この評価段階23では、他のキャリア経由で送信したパケットを標示するその他全ての応答メッセージは無視される。
【００４６】
次に、全キャリアがテスト済であるかを調べる（ステップ24）。未テストのキャリアがある場合、テストデバイスはステップ25で、次のキャリア「m」＝m＋1に切換える。
【００４７】
この切換えステップ25の後、前述と同一の手順であるステップ22から24が新しいキャリア「m」＝m＋1に対して、同一のシングルキャリアのスループット要件に照らして再度実行される。キャリア間の切換えは順次、または任意の順序で行われてもよい。
【００４８】
ステップ22から25のループで全キャリア（N）が選択・評価されると、テスト手順はステップ24の後に終了できる。2Cや4C，8C，または他のマルチキャリアシステムであっても、テストされるかどうかに関わらず同様に、この原理が適用される。フェーダの複数セットが使用できる場合、二つの隣接しない周波数帯にあるキャリアに適用されない限り、フェーダのあるセットが適用されてもよい。一般に、こうした実施形態では、4C-HSDPA等のマルチバンド動作において、1周波数帯当たりに1セットのフェーダが使用されうる（図3の記述も参照）。
【００４９】
本発明に従うある実施形態では、選択キャリアの測定（ステップ23）の後、選択キャリアに対して要件が適合すると、テスト合格の標示が出力される。選択キャリアに対して要件が適合しなかった場合、テスト不合格の標示が出力される。これは、得られた結果を示すLED光信号等の適切な信号出力によって実装されてもよい。
【００５０】
またシステムは、全ての構成キャリアに対してテスト合格標示が出力される場合、全体テスト結果も合格であると決定してもよい。さらにシステムは、何れかの構成キャリアに対してテスト不合格標示が出力される場合、全体テスト結果が不合格であると決定してもよい。個別テスト不合格の標示または全体テスト不合格の結果により、特定のパラメータを変更し、新しい構成を再評価するようにしてもよい。
【００５１】
次に、本発明の例示的実施形態に関する実際の物理的実装を説明する。以下、テストシステムを示す図3を参照する。この実装の実施形態では、デュアルキャリアHSDPA受信機をテストする。しかし、その原理は、3以上の任意の整数のキャリアを使用するマルチキャリア受信機に容易に拡張できる。また、少なくとも二つの隣接しない周波数帯にあるキャリアを有するマルチバンドにおいても拡張可能である。デュアルキャリアの実施形態では、Tx信号ソース30aが、5MHz帯域幅の第1キャリア周波数である「周波数1」に関する希望セルの伝送信号と、二つの隣接セルの干渉信号（干渉信号1および干渉信号2）を示している。これに対応して、Tx信号ソース30bは、第2キャリア周波数である「周波数2」に関する、テストデバイスに入力される三つのTx信号のセットを示している。
【００５２】
使用キャリア数に関わらず、テストデバイスは、シングルバンドの実施形態において6ブロックの無線チャネルエミュレータ、すなわち、図3のフェーダ32a-32fを備える。最初の二つのフェーダ32aおよび32bは希望信号W用であり、入力信号の帯域幅はこの実施例では5MHzである。これは、フェーダの周波数帯域も規定する。これに対応して、第3および第4フェーダ32cおよび32dは第1干渉信号に対して動作し、第5および第6フェーダ32eおよび32fは第2干渉信号に対して動作する。加えて、フェーダ32a-32fは、測定のために選択されたキャリアに応じて切換えられる。この実施形態が示す特定の時点では、第1キャリア（周波数1）が測定用に選択される。これは、第1周波数の信号にのみ作用するよう接続されるスイッチ33a-33fによって示される。加算ブロック31a-31fは単に、30aから加算ブロック31a-31fへの入力信号の各々が対応するフェーダブロック32a-32fを経由して伝搬し、その後、減衰信号が合成器34aまたは34bの何れかに入力されることを示している。これに対応して、加算ブロック31g-31lはどのフェーダにも接続されておらず、ソース32bからの入力信号は加算ブロック31g-31lを経由して後続の合成器34aまたは34bに直接入力される。31aから始まる奇数番目の加算ブロック31a-31lの各々に対し、対応する入力信号の最初の三つが、チャネルエミュレータ32a，32c，32eで減衰され、六つの信号分岐の全部が合成器34aで合成される。 合成信号は、被試験ユーザ装置36のダイバーシティアンテナポート（「Rx」）に入力される。これに対応して、31aから始まる偶数番目の加算ブロック31a-31lの各々に対し、対応する入力信号の最初の三つが、チャネルエミュレータ32b，32d，32fで減衰され、六つの信号分岐の全部が合成器34bで合成される。 合成信号は、被試験ユーザ装置36のダイバーシティアンテナポート（「Tx/Rx」）に入力される。当然ながら、34aからの第1合成信号をポート「Tx/Rx」に入力してもよく、34bからの第2合成信号をポート「Rｘ」に入力してもよい。このテストに関連する受信特性から、アンテナ機能は互換性があるためである。
【００５３】
こうした接続の結果として、全測定段階において、受信機の第1アンテナ分岐の減衰チャネルは、同受信機の第2アンテナ分岐の減衰チャネルとは独立（無相関）である。
【００５４】
対応するスループット測定に関して前述した実質的特徴である、特定時刻での信号キャリアの選択は、複数のスイッチ33a-33fを用いて実行される。例えば、スループット測定テストに「周波数2」のキャリアが選択されると、スイッチ33a-33fは第2周波数の信号を、フェーダ32a-32fを介して接続し（図3の垂直位置にあるスイッチを参照）、結合器を経由して信号をRxアンテナポートへ誘導する。「周波数1」信号はそのままブロック31へ入力され、結合器34a・34bを経由してアンテナポートに直接入力される。
【００５５】
また、AWGNブロック35a・35bから結合器34a・34bの減衰・非減衰Rx信号にガウスノイズを加え、無線チャネルのホワイトノイズの影響もモデル化する。この実施形態では、前述で特定した5MHz帯域にだけホワイトガウスノイズを加えれば十分である。
【００５６】
こうして、被試験ユーザ装置36は、二つ（以上）のRxアンテナポートであって、このうちの一部（または一つ）はTxアンテナポートでもある、ダイバーシティアンテナ受信機である。TxとRxの方向は、方向性カプラ（図3には示さず）で分けられる。無線チャネルエミュレータ32a-32fを伝搬する信号は図3に従って配線される。しかし、テスト手順にメイン分岐とダイバーシティアンテナ分岐間の無相関な減衰が要求されることを念頭に置く限り、他の配線方法であってもよい。
【００５７】
スループット測定テストは最終的に、被試験ユーザ装置36に到達するRx信号に対して実行される。UE36は全キャリアに対して信号を復号し、各キャリアにそれぞれ（HARQメッセージに関連して、前述参照）ACK/NACKメッセージを報告する。テスト手順に関し、テストデバイスは、パフォーマンス評価用の（スイッチ33a-33fが選択した）ターゲットキャリアに関連するACK/NACKメッセージのみを収集する。しかし、本発明の他の実施形態では、HARQメッセージに対するACK/NACK確認メッセージは、送信信号要素の各々で使用したキャリアを特定するのに適する方法で、キャリア特有の他の適切なメッセージ情報に置換されてもよい。
【００５８】
キャリア数が2を超えるテスト装置の実施形態では、テスト装置を次の様に変更してもよい。例として、四つのセルシステムが使用される場合、第3および第4周波数のTx信号ソース30cおよび30d（図示せず）をさらに追加してもよい。対応する加算ブロック31もこれらの信号に追加され、前述のチャネルエミュレータ32a-32fに配線される。スイッチ33a-33fは、四つの可能な切換えによって、同時にチャネルに入力されるように30aから30dの各キャリアを切換えられるように変更される。残りのテスト手順は前述と同様である。
【００５９】
4C-HSDPAのタイプ3i受信機のテスト等、複数の隣接しない周波数帯を適用する場合、追加周波数帯の各々に対し、六つのチャネルエミュレータのセットを要する。こうして、二つの隣接しない周波数帯を適用する場合、両周波数帯に所望の信号減衰を与えるために、合計12のチャネルエミュレータを要する。これにより、後続で選択したキャリアが別の周波数帯に配置する場合、フェーダの第2セット（32g-32l，図示せず）が加算ブロック31を介して選択キャリアに接続され、フェーダの第1セット32a-32fはこのテスト段階で切断される、という切換え段階が実行される。
【００６０】
本発明の実施形態に従う解決方法による必然的な利点は、テストシステムにおけるフィーダ数が使用キャリア数に依存しないことである。前述の実施形態では、必要なチャネルエミュレータの数は、システムで利用可能なキャリア数に関係なく、6である。キャリアが別々の周波数帯にある場合でも、例えば、4C-HSDPA動作を適用するデュアルバンドであっても、必要なフェーダの数は精々12である。利点として、本発明に従うテスト装置およびテスト手順は、キャリア数が増えるにつれ追加フィーダが必要になる従来技術と比べて、複雑さを減らすことができる。こうした複雑さは例えば、8キャリアが利用可能なシステムにおいても相対的に減らせる。前述の実施形態のように、周波数帯当たり六つのチャネルエミュレータブロックで実行するからである。本発明の実施形態は、多数キャリアのテスト装置を使用するように拡張する場合でも、新しいキャリアに対してスイッチブロック33a-33fと配線を変更するだけで済む。
【００６１】
さらに、テストシステムは、スイッチ33a-33fの接続がその可能な接続位置の間で一瞬でも生じない点を適切に考慮する。したがって、二つのキャリア信号間の切換え実行後、テストデバイスは、フェーダによって新たに選択されるキャリアが確実に安定動作状態に収束するまでの十分な中間状態時間を適切に確保する。こうした収束時間の間、テスト中のキャリアに対する別のUE測定（PCIでのプレコーディング情報；CQIでのチャネル品質標示子等）は正しく実行されない。ユーザは、この収束時間が経過するまで測定を開始しないように規定してもよい。こうした時間管理の特徴は、テストデバイスの制御ユニットやプロセッサ等で利用可能なクロックや他の適切な時間管理モジュールによって実装できる。
【００６２】
また、前述の実施形態に従うテスト手順は、被試験ユーザ装置の物理的変更やパラメータ変更を必要としない。これは、テストモジュールがあらゆるユーザ装置に対して完全に透過的である状況下では重要な利点である。この特性によりユーザ装置は、テストに合格するようにターゲットキャリアのパフォーマンスを改善するための特定の動作や「トリック」を行う必要がない。また、これにより、様々な種類のUEに亘ってテストの信頼性をより高め、より均一なテストを実行できる。
【００６３】
本発明の実施形態におけるさらなる利点は、テストシステム用の拡張チャネルモデルの開発が不要であることである。前述の通り、本発明は、DB-DC-HSDPAの使用時等でキャリアの一部が異なる周波数帯にある場合にも適用できる。こうして本発明は、従来技術による解決方法と比べ、複雑さを減らし、より高い柔軟性と拡張性を提供できる。
【００６４】
本発明は特に、3GPPリリース8以降の全てのリリースに適用可能であり、HSDPAのマルチキャリア動作をサポートする将来のリリースにも適用されうる。
【００６５】
加えて、前述の実施形態はHSDPA技術と下り方向に関連して本発明を原理的に説明してきたが、マルチキャリアを適用する他の技術や、（リリース9以降で規定する）マルチセル動作が可能な上り方向に対しても本発明は適用可能である。
【００６６】
ある実施形態では、本発明に従うテストシステムおよび装置は、既存のテストデバイスに対して外部または内蔵ハードウェアモジュールの少なくとも一つによって実装されてもよい。
【００６７】
外部または内蔵制御ユニットは、接続確立段階や切換え段階，測定段階等を制御するために適用可能な、前述の方法のステップを実行してもよい。ある実施形態では、テストデバイスはメモリと、本発明に従う適用可能な方法のステップを実行する少なくとも一つのプロセッサを備える。また、本発明に従うテスト方法は、少なくとも一つのプロセッサで実行される一つまたは複数のコンピュータプログラムとして実装される。コンピュータプログラムはメモリ回路やメモリカード，磁気または光ディスク等のコンピュータ可読媒体の少なくとも一つに格納されうる。機能要素の一部は、他の機能要素に連動するプログラムモジュールとして実装されてもよい。機能要素はまた、外部メモリに格納され、メッセージバスやネットワークノード間の内部ネットワーク等を介して通信する外部プロセッサによって実行されてもよい。こうしたメッセージバスの一例として、Peripheral Component Interconnect（PCI）バスがある。
【００６８】
本発明の例示的実施形態は、そのプロセスを実行できるあらゆる適切なデバイス内に含まれうる。こうしたデバイスは、あらゆる適切なサーバやワークステーション，PC，ラップトップコンピュータ，PDA，インターネットアプライアンス，携帯用デバイス，携帯電話，無線デバイス，他のデバイス等を含む。これらのデバイスは次の一つ以上のインタフェース機構を介して通信できる：インターネットアクセス，あらゆる適切な電話通信（音声，モデム等），無線通信媒体，一つ以上の無線通信ネットワーク，携帯通信ネットワーク，3G通信ネットワーク，4G通信ネットワーク，公衆交換電話網（PSTN），パケットデータネットワーク（PDN），インターネット，イントラネット，およびこれらの組み合わせ等。
【００６９】
こうした例示的実施形態は例示目的であって、ハードウェア技術の当業者が理解するように、これら例示的実施形態を実装するための特定のハードウェアに関する種々の変形が可能であることに留意されたい。例えば、例示的実施形態の一つ以上の要素の機能は、一つ以上のハードウェアデバイスを介して実装されうる。
【００７０】
例示的実施形態は、本明細書に記載の種々のプロセスを関連する情報を格納してもよい。この情報は、ハードディスクや光ディスク，光磁気ディスク，RAM等のメモリの一つ以上に格納されてもよい。一つ以上のデータベースが、本発明の例示的実施形態を実装するために用いる情報を格納してもよい。データベースは、本明細書に列挙したメモリまたは記憶デバイスの一つ以上に格納されるデータ構造（レコード，テーブル，配列，フィールド，グラフ，ツリー，リスト等）を用いて構成されてもよい。例示的実施形態に関して記載したプロセスは、例示的実施形態のデバイスおよびサブシステムのプロセスが収集および／または生成したデータを一つ以上のデータベースに格納するために、適切なデータ構造を含んでいてもよい。
【００７１】
例示的実施形態の全部または一部は、電子技術の当業者が理解するように、特定用途向け集積回路を利用して、または従来の要素回路の適切なネットワークを相互接続して、実装されてもよい。
【００７２】
前述のように、例示的実施形態の要素は、本発明の教示に従って、データ構造，テーブル，レコードおよび／または本明細書に記載の他のデータを保持するために、コンピュータ可読媒体やメモリを備えてもよい。コンピュータ可読媒体は、プロセッサに実行命令を提供できるあらゆる適切な媒体を含みうる。このような媒体は種々の形態をとりうるものであり、不揮発性媒体や揮発性媒体，伝送媒体等が含まれる。ただし、これらに限定されない。不揮発性媒体には光ディスクや磁気ディスク，光磁気ディスク等が含まれる。揮発性媒体にはダイナミックメモリ等が含まれる。伝送媒体には同軸ケーブルや銅線，光ファイバー等が含まれる。伝送媒体はまた、音声や光，電磁波等の形態をとることも可能で、無線周波数（RF）通信や赤外線（IR）データ通信等を通じて生成されうる。コンピュータ可読媒体のよく知られた形態は、例えば、フロッピーディスクやフレキシブルディスク，ハードディスク，磁気テープ等の適切な磁気媒体、CD-ROMやCDRW，DVD等の適切な光媒体、パンチカードや紙テープ，光マークシート等の、孔によるパターンやその他の光学的認識可能な目印を有する適切な物理媒体、RAMやPROM，EPROM，フラッシュEPROM等の適切なメモリチップやカートリッジ、搬送波等であり、コンピュータが読み取りを行える様々な媒体が存在する。
【００７３】
本発明を多数の例示的実施形態や実装例を用いて説明してきたが、本発明の範囲はそのように限定されるものではなく、添付の特許請求の範囲に包含される多くの自明な変形や均等な構成をカバーする。
【００７４】
本発明の技術上の先進性や基本的な構想が様々な方法で実装可能であることは、当業者には自明である。したがって、本発明およびその実施形態は、前述の実施例に限定されるものではなく、特許請求の範囲において変形可能なものである。
【図１】
2014508435.tif 000003
【図２】
2014508435.tif 000004
【図３】
2014508435.tif 000005
【国際調査報告】
2014508435.tif 000006
2014508435.tif 000007